(57)【要約】【課題】ベットシーツ、敷き布団のシーツ交換時に邪魔にならず軽くて撤去設置組立て収納が簡単な多用途にも利用可能な読書スタンドを提供する。【解決手段】本、テレビモニター等を載せる部材（１）、支柱部材（２）、支柱部材を固定する台（３）から成り各部材間を着脱可能な差込部材金具（４）自在折り曲げ折畳み部材（５）を設ける事で容易に分割組み立てが出来又、コンパクトに折り畳み収納が出来る事を特徴とする。【選択図】図１
2008272392.tif 000002
【特許請求の範囲】
【請求項１】
本、テレビモニター等を載せる部材（１）、支柱部材（２）、支柱部材を固定する台（３）から成り各部材間を着脱可能な差込部材金具（４）を設け容易に分割組み立てが出来る事を特徴とする特許請求項１の多用途スタンド。
【請求項２】
本、テレビモニター等を載せる部材（１）、支柱部材（２）、支柱部材を固定する台（３）から成り各部材間を自在に折り曲げ折畳み可能な部材（５）を設け接続し容易に折り畳みができ、収納機能を高めた事を特徴とする特許請求項２の多用途スタンド。
【請求項３】
本、テレビモニター等を載せる部材（１）内に鏡部材（５）を差込スライドする溝部（７）を設けた事を特徴とする特許請求項３の多用途スタンド。
【発明の詳細な説明】
【技術分野】
【０００１】  本発明は、容易に折畳み収納、分解組立てが可能な寝転び仰向けで読書出来る読書スタンドに関するものである。
【背景技術】
【０００２】  寝転び仰向け等で睡眠前に、読書する本を固定するブックスタンドが有る。【０００３】  読書スタンドの中でベット手摺り部に取り付け固定する読書スタンドが有る。【０００４】  ベット用、布団用に開発された読書スタンドは本を固定するアーム部が長い為アーム固定部が強固で重量の有るフレームで出来ている。【０００５】  アーム固定部がベット、敷き布団下部に差し込み使用するように出来ている為、ベットマットのシーツ交換、敷き布団のシーツ交換時にじゃまになりスタンドを撤去する作業が必要としていた。
【特許文献】特開平０９−０７５１３９
【発明の開示】
【発明が解決しようとする課題】
【０００６】  ベット、敷き布団のシーツ交換時に読書スタンドを簡単に解体撤去、再度組立て設置が容易で、又、読書スタンドを折畳み収納ができ軽い為片手で持ち運びが出来るようになり、前述した欠点を解決しようとするものである。
【課題を解決するための手段】
【０００７】  本発明は、本を載せる部材（１）、支柱部材（２）、支柱部材を固定する台（３）を設け各部材間を着脱可能な差込部材金具（４）で接続する事で簡単に組立、三分割に解体が出来、又は各部材間を自在折り曲げ折畳み可能な部材（５）を用い折畳み収納が容易に成る事で問題点を解決している。
【発明の効果】
【０００８】  上記記述のように支柱部材（２）の上下両端に設けて有る差込部材金具（４）を丸型パイプ状の金具を用要る事で、本を載せる部材（１）が回転可能と成り睡眠時不必要となった顔面上の本を載せてある部材（１）を１８０度旋廻する事で睡眠の妨げにならない又、自在折り曲げ折り畳み等部材（５）を各部材間に用いるとスタンドをコンパクトに折畳み収納が出来る利点が有る。
【発明を実施する為の最良の形態】
【０００９】  本を載せる部材（１）、支柱部材（２）、支柱部材を固定する台（３）を設け各部材間を着脱可能な差込部材金具（４）で接続し、差込部材金具（４）を回転可能な円柱形の凸部と円筒形の凹み部を用いた部材で構成する事で本を載せる部材（１）の３６０度旋廻が出来、組立て分解可能な多用途に応用できるスタンドができ、又各部材間の接続部に自在折り曲げ折畳み可能な部材（５）を用いると折畳み収納が出来るスタンドができた。
【実施例１】
【００１０】  以下図面に従って実施例を説明する。図１は本発明の多用途スタンドの正面斜視図で本を伏せて載せる部材（１）、はＵ型、又は、コの字型に形成された形状の部材とし中央に伏せた本を読むための最適の角度を得る為の調整締め付けボルトノブ（１０）を設ける。【００１１】  差込部材金具（４）に載せる部材（１）の角度調し整締め付けボルトノブ（１０）を用いねじ込み取り付けする。【００１２】  差込部材金具（４）は丸型パイプ支柱部材（２）を受ける丸型パイプ形状とする符号（１１）で図３は差込み部材金具部分拡大斜視図である。【００１３】  支柱部材（２）は、丸型パイプ差込重ね合わせ伸縮する部材とし伏せた本の見やすい高さを調整し得る伸縮するパイプ部材の支柱部材（２）であり、重ね合わせた上部パイプ上一端に差込重ね合わせた内部パイプの伸縮を締め付け固定する蝶ボルト（１２）を設ける図２。【００１４】  支柱部材（２）の下端に設けてある差込部材金具（４）は円筒形の凹み形状部材（１３）とし支柱部材を差し込み固定する台（３）の一端に円柱形凸部形状の（１４）の差込部材金具（４）とする。【００１５】  図４は、実施例１の着脱可能な金具である差込部材金具（４）を用いた部品構成分解斜視図である。
【実施例２】
【００１７】  載せる部材（１）、支柱部材（２）、支柱部材を固定する台（３）を設け各部材間を接続する自在折り曲げ折畳み部材（５）を用いた図５の全体斜視図であり折り曲げ折畳み部材（５）を用いた実施例２を以下説明する。【００１８】  自在折り曲げ部材（５）の形状は凹凸面を有する部材金具で金具一端に締め付けボルトを設け締め付け固定し載せる部材（１）に本、積載物を載せても折れない支持部材（２）の適度の締め付け圧力で固定出来るものである。【００１９】  高さ調整する為の伸縮する支柱部材（２）の重ね合わせた伸縮する内側パイプ部材（６）上部一端内に自在折り曲げ折畳み部材金具（７）を設け部材金具（７）一端に締め付け固定するボルトを設け載せる部材（１）に接続する。【００２０】  支柱部材（２）で有る、重ね合わせた伸縮するパイプ部材下部に自在折り曲げ折畳み部材金具（７）を設け部材金具（７）一端に締め付け固定するボルトを設け支柱部材を固定する台（３）に接続する。【００２１】  支柱部材（２）下端に凹凸折り曲げ折り畳み部材（５）を用いているが、凹凸の突合せ部材の替わりに球状部材、球状を受ける曲面部材を用い折り曲げ折畳み部材としても良い。【００２２】  図（６）は、自在折り曲げ折畳み部材金具（７）を用いた実施例２の斜視図であり撤去収納時の折畳み状況斜視図である。
【実施例３】
【００２２】  図（７）は本発明の多用途スタンドに鏡を設けた実施例３を説明する。【００２３】  載せる部材（１）内に鏡（８）を差込み挿入取り付けする溝部（９）を設け仰向け寝ながら顔を見る為の鏡スタンドとし実施した７図である。【００２４】  鏡を挿入する溝部（９）は溝内を左右自在にスライド移動が出来る構造とし鏡を左右どちらかに寄せ鏡脇に本を伏せて読書する為のスライド機能を有する溝である。【００２５】  睡眠前の美容時に横たわり仰向けで一定時間行なうフェイシャルトリートメント時の顔を見る鏡として多用途スタンドを活用するもので鏡を見ながら読書をする事が可能になる。【００２６】  溝部に鏡が挿入されている為に、睡眠時不必要なる顔面上の鏡を１８０度旋廻する際鏡の脱落を防止する為の溝部でもある。
【産業上の利用可能性】
【００２７】  軽くコンパクトに折畳み収納が出来又、設置組立て解体撤去が簡単である為、ベットシーツ交換が容易で、入院時、長時間仰向け姿勢での点滴治療時の読書が可能と成り入院患者の読書スタンドのリースとしての大きな新規ビジネス製品として活用出来る。
【図面の簡単な説明】
【００２８】
【図１】多用途スタンドの正面斜視図で実施例１で有る。
【図２】多用途スタンドに本を載せた読書スタンドとした実施例１で有る。
【図３】着脱差込に可能な部材金具の部分拡大斜視図実施例１。
【図４】実施例１の部品構成分解斜視図である。
【図５】実施例２の自在折り曲げ折畳み部材（５）を全体斜視図である。
【図６】実施例２の撤去収納時の折畳み状況斜視図である。
【図７】実施例３の多用途スタンドに鏡を設けた全体斜視図である。
【図８】既存の読書スタンドの斜視図である。
【符号の説明】
【００２９】１  本等を載せる部材
２  支柱部材
３  支柱部材を固定する台
４  着脱可能な差込部材金具
５  自在折り曲げ折畳み可能な部材
６  内側パイプ部材
７  自在折り曲げ折畳み部材金具
８  鏡
９  鏡を差込み挿入取り付けする溝部
１０  締め付けボルトノブ
１１  丸型パイプ
１２  スタンドの高さ調整蝶ボルト
１３  円筒形の凹み形状部材
１４  円柱形凸部
１５  本
【図１】
2008272392.tif 000003
【図２】
2008272392.tif 000004
【図３】
2008272392.tif 000005
【図４】
2008272392.tif 000006
【図５】
2008272392.tif 000007
【図６】
2008272392.tif 000008
【図７】
2008272392.tif 000009
【図８】
2008272392.tif 000010